(57)【要約】【課題】内外両方の光を利用可能なバックライトアセンブリを提供する。【解決手段】導光板１００の一側からは外部で生成された外部光の供給を受け、導光板１００の他側からは内部で電気エネルギーを消費して生成された内部光の供給を受けて、液晶表示パネルアセンブリ９５０に光を供給することにより、液晶表示装置をディスプレーするに必要である消費電力を大きく減少させることは勿論、液晶表示装置で重要な要素である輝度をさらに向上させることができる。【選択図】　　　図９
2004004766.tif 000002
【特許請求の範囲】
【請求項１】
外部光が入射される第１側面、人工光が入射される第２側面、前記第１側面及び第２側面を連結する第３側面及び第４側面と、前記外部光及び前記人工光が反射される光反射面及び前記光反射面と対向する光射出面を含む導光板と、
前記導光板を収納し、前記第２側面から前記人工光の供給を受けることが可能な態様で前記第２側面、前記第３側面及び前記第４側面を取り囲む第１、第２及び第３側壁を含む第１収納容器と、
基底面、前記第１、第２及び第３側壁を取り囲むための第４側壁、第５側壁、第６側壁と、前記第１側面に前記外部光を供給するための採光側壁を含み、前記採光側壁は前記基底面から延び第１側面に対して傾斜しかつ前記第４側壁及び第６側壁の間を連結するよう設けられている第２収納容器とを含むことを特徴とするバックライトアセンブリ。
【請求項２】
前記外部光を前記第１側面に反射するために前記採光側壁及び前記第１側面との間に反射手段をさらに含むことを特徴とする請求項１に記載のバックライトアセンブリ。
【請求項３】
前記反射手段は前記採光側壁に付着された反射シートであることを特徴とする請求項２に記載のバックライトアセンブリ。
【請求項４】
前記第１収納容器の前記第１、第３側壁の端部は前記採光側壁と平行であることを特徴とする請求項１に記載のバックライトアセンブリ。
【請求項５】
前記採光側壁は前記第１側面に対して０°より大きく９０°より小さく傾斜したことを特徴とする請求項１に記載のバックライトアセンブリ。
【請求項６】
前記採光側壁は前記第１側面に対して４５°に傾斜したことを特徴とする請求項５に記載のバックライトアセンブリ。
【請求項７】
前記第１収納容器は、前記第１、第３側壁に配置された複数個の固定溝を含み、前記導光板は前記固定溝に対応する複数個の第１固定突起を含むことを特徴とする請求項１に記載のバックライトアセンブリ。
【請求項８】
前記導光板の下部には反射板が配置され、前記反射板は前記固定溝に対応する複数個の第２固定突起を含み、前記導光板の上面には光学シートが配置され、前記光学シートは前記固定溝に対応する第３固定突起をさらに含むことを特徴とする請求項７に記載のバックライトアセンブリ。
【請求項９】
前記導光板は前記外部光の経路を変更させ、前記第１側面に前記外部光を供給するための外部光採光本体をさらに含むことを特徴とする請求項１に記載のバックライトアセンブリ。
【請求項１０】
前記外部光採光本体は、前記第１側面と前記導光板の光射出面とが交差する第１エッジ部から前記第１側面と平行であり、前記光射出面に対して垂直に延びた第１光反射面と、
前記第１側面及び前記導光板の光反射面とが交差する第２エッジ部から前記採光側壁に対して平行であるように傾斜した第２光反射面と、
前記第１光反射面及び前記第２光反射面を連結する採光面とを含むことを特徴とする請求項９に記載のバックライトアセンブリ。
【請求項１１】
前記外部光採光本体は、前記外部光を反射させるための光反射シートをさらに含み、前記光反射シートは前記第１光反射面に配置されたことを特徴とする請求項１０に記載のバックライトアセンブリ。
【請求項１２】
前記外部光採光本体は、前記外部光を反射させるための光反射シートをさらに含み、前記光反射シートは前記第２光反射面に配置されたことを特徴とする請求項１０に記載のバックライトアセンブリ。
【請求項１３】
前記人工光はランプから発生し、前記ランプは前記第２側面と隣接するところに配置されたことを特徴とする請求項１に記載のバックライトアセンブリ。
【請求項１４】
第１方向に入射される外部光が第２方向に反射されるようにするために、光反射側面を有する外部光採光本体、第３方向に人工光の入射を受けるための人工光入射面、前記外部光及び前記人工光を第４方向に反射するための光反射面と、前記人工光入射面と隣接する側面及び前記第４方向を有する前記人工光及び外部光が射出されるようにするための光射出面とを含む導光板と、
前記人工光入射面及び前記側面を取囲むフレーム形状で、前記人工光入射面と隣接した部位から前記人工光入射面に前記人工光を供給する、第１収納容器側壁を含む第１収納容器と、
基底面、前記基底面から前記第１収納容器側壁を取囲むように延びた第２収納容器側壁、前記外部光採光本体の前記光反射側面と密着するように前記基底面に対して傾斜するように延び前記第２収納容器側壁に連結された採光側壁を含む第２収納容器と、
前記光反射側面と前記採光側壁との間及び前記基底面全てにわたって設けられた光反射手段とを含むことを特徴とするバックライトアセンブリ。
【請求項１５】
前記光反射手段は光反射シートであることを特徴とする請求項１４に記載のバックライトアセンブリ。
【請求項１６】
外部光及び人工光の供給を受けるための導光板と、前記導光板に人工光を供給しかつ前記導光板を収納するための第１収納容器と、前記導光板に外部光を供給できるように形成された第２収納容器と、前記第２収納容器に前記導光板に対して傾斜するように形成された採光側壁と、を含むバックライトアセンブリと、
前記第１収納容器を介して前記導光板の上面に設けられ、前記外部光及び前記人工光を情報が含まれたイメージ光に変更させる液晶表示パネルアセンブリと、前記液晶表示パネルアセンブリを固定するために、第２収納容器の側壁及び前記採光側壁に結合され、前記液晶表示パネルアセンブリの有効ディスプレー領域が開口されるように開口部を有し前記採光側壁に対向する部位に外部光導入窓が形成されたシャーシと、を含むことを特徴とする液晶表示装置。
【請求項１７】
前記導光板は外部光の供給を受けるための第１側面、前記人工光の供給を受けるための第２側面、及びこれら第１、第２側面をつなぐ第３、第４側面を有し、前記第１収納容器は前記導光板の第２、第３、第４側面を取り囲むための第１、第２、第３側壁を含み、
前記第２収納容器は基底面及び前記第１収納容器の第１、第２、第３側壁を取り囲むために前記基底面から延びた第４、第５、第６側壁を含み、
前記採光側壁は前記第１側面に向き合うように傾斜するように基底面から延び、第５および第６側壁との間で連結されたことを特徴とする請求項１６に記載の液晶表示装置。
【請求項１８】
前記シャーシは前記外部光導入窓を覆う透明な汚染物浸入防止プレートをさらに含むことを特徴とする請求項１６に記載の液晶表示装置。
【請求項１９】
前記導光板は前記シャーシの内側面及び前記第１側面間で前記外部光をガイドする外部光採光本体をさらに含むことを特徴とする請求項１７に記載の液晶表示装置。
【請求項２０】
前記外部光採光本体は、前記導光板の光射出面のエッジうちの前記採光側壁に隣接しそれに平行なエッジから前記第１収納容器の上面まで垂直に延びた第１光反射面と、
前記採光側壁と平行であるように前記第１光反射面に対して傾斜した第２光反射面と、
前記第１光反射面及び第２光反射面を連結する採光面とを含むことを特徴とする請求項１９に記載の液晶表示装置。
【請求項２１】
前記採光面は前記シャーシの内側と接触されることを特徴とする請求項２０に記載の液晶表示装置。
【請求項２２】
前記採光面には、前記外部光導入窓を密封する密封突起がさらに含まれることを特徴とする請求項２０に記載の液晶表示装置。
【発明の詳細な説明】
【０００１】
【発明の属する技術分野】
本発明はバックライトアセンブリ及びこれを有する液晶表示装置に関するものであり、より詳細には、消費電力を減少および輝度を増加させることができるバックライトアセンブリ及びこれを利用した液晶表示装置に関するものである。
【０００２】
【従来の技術】
一般に、液晶表示装置（ＬＣＤ）は電界により光透過度が変更される液晶（Ｌｉｑｕｉｄ　ｃｒｙｓｔａｌ；ＬＣ）を利用して文字、停止映像、動映像などの情報をディスプレーする表示装置である。
【０００３】
このように、液晶表示装置はディスプレーを実施するために、光を必要とする。この時、液晶表示装置で使用される光は太陽又は照明などにより得られ、又は電気エネルギーを消費することにより得られる。
【０００４】
このような、液晶表示装置は必要とする光を得る方式により、完全に異なる構造を有する。
【０００５】
例えば、液晶表示装置の一つ種類である反射型液晶表示装置は、太陽又は照明装置などから発生した外部光を利用して映像をディスプレーする。従って、反射型液晶表示装置は外部光を反射させ、液晶に光を供給する反射電極を必須構成要素とする。勿論、この反射電極は光反射率が優れ、導電性である金属が主に使用される。
【０００６】
このような、反射型液晶表示装置は外部光を利用するために、液晶を制御するための電力のみを必要として消費電力が相当に低いという長所を有する。反面、反射型液晶表示装置は外部光の光量が足りなく、又は外部光がないところではディスプレーが困難又は不可能であるという短所も共に有する。
【０００７】
液晶表示装置の他の種類である透過型液晶表示装置の場合、電気エネルギーを消費して生成された人工光を使用してディスプレーを実施する。従って、透過型液晶表示装置は光が透過され、導電性である透明電極を必須構成要素とする。この透明電極は光透過率が優れるインジウムティンオキサイド（ＩＴＯ）又はインジウム亜鉛酸化膜（ＩＺＯ）などが主に使用される。
【０００８】
このような、透過型液晶表示装置は、電気エネルギーを消費して得られた人工光を使用するために、外部光に関係なしにどんな所でもディスプレーが可能である長所を有する。一方、透過型液晶表示装置は構造上外部光を利用することができないために、光量が豊富なところでも人工光を利用してディスプレーを実施しなければならないので、反射型液晶表示装置に比べて消費電力が相当に高いという短所も共に有する。
【０００９】
最近、開発された反射−透過型液晶表示装置は、このような透過型液晶表示装置の短所及び反射型液晶表示装置の短所を克服した表示装置である。
【００１０】
このような、反射−透過型液晶表示装置は、透過型液晶表示装置の構成要素である透明電極と、透明電極の上面に形成されかつ透明電極が露出されるように開口窓が形成された反射電極を必須構成要素として有する。
【００１１】
このような、反射−透過型液晶表示装置は外部光の光量が豊富な所では反射型液晶表示装置のように外部光を利用してディスプレーを実施し、外部光の光量が足りない所では透過型液晶表示装置のように電気的エネルギーを消費して生成された人工光を利用してディスプレーを実施する。
【００１２】
しかし、このような反射−透過型液晶表示装置は、反射型液晶表示装置に比べてディスプレー輝度が低く、透過型液晶表示装置に比べてもディスプレー輝度が低いという問題点を有する。即ち、反射−透過型液晶表示装置は外部光の有無に関係なしにディスプレーできるが、光の利用効率が低いので、輝度が低いという問題点を有する。
【００１３】
このような理由で、最近では外部光の有無に関係なしに低消費電力にディスプレーを実施する長所を有し、また高輝度ディスプレーを実施する液晶表示装置の必要性が益々増加している。
【００１４】
【発明が解決しようとする課題】
本発明の目的は、低消費電力及び高輝度ディスプレー特性を全て満足させるバックライトアセンブリを提供することにある。
【００１５】
本発明の他の目的は上述のごときバックライトアセンブリを有する液晶表示装置を提供することにある。
【００１６】
【課題を解決するための手段】
上述した目的を達成するための本発明によるバックライトアセンブリは、外部光が入射される第１側面と、人工光が入射される第２側面と、前記第１側面及び第２側面を連結する第３側面及び第４側面と、　前記外部光及び前記人工光が反射される光反射面及び前記光反射面と対向する光射出面を含む導光板と、前記導光板を収納し、前記第２側面から前記人工光の供給を受けることが可能な態様で前記第２側面、前記第３側面及び前記第４側面を取り囲む第１、第２及び第３側壁を含む第１収納容器と、基底面、前記第１、第２及び第３側壁を取り囲むための第４側壁、第５側壁、第６側壁と、前記第１側面に前記外部光を供給するための採光側壁を含み、前記採光側壁は前記基底面から延び第１側面に対して傾斜しかつ前記第５側壁及び第６側壁の間を連結するように設けられている第２収納容器とを含む。
【００１７】
また、上述した目的を達成するための本発明によるバックライトアセンブリは、第１方向に入射される外部光が第２方向に反射されるようにするために、光反射側面を有する外部光採光本体、第３方向に人工光の入射を受けるための人工光入射面、前記外部光及び前記人工光を第４方向に反射するための光反射面と、前記人工光入射面と隣接する側面及び前記第４方向を有する前記人工光及び外部光が射出されるようにするための光射出面とを含む導光板と、前記人工光入射面及び前記側面を取囲むフレーム形状で、前記人工光入射面と隣接した部位から前記人工光入射面に前記人工光を供給する第１収納容器側壁を含む第１収納容器と、基底面、前記基底面から前記第１収納容器側壁を取囲むように延びた第２収納容器側壁、前記外部光採光本体の前記光反射側面と密着するように前記基底面に対して傾斜するように延び前記第２収納容器側壁に連結された採光側壁を含む第２収納容器と、前記光反射側面と前記採光側壁との間及び前記基底面全てにわたって設けられた光反射手段とを含む。
【００１８】
また、上述した目的を達成するための本発明による液晶表示装置は、外部光及び人工光の供給を受けるための導光板と、前記導光板に人工光を供給しかつ前記導光板を収納するための第１収納容器と、前記導光板に外部光を供給できるように形成された第２収納容器と、前記第２収納容器に前記導光板に対して傾斜するように形成された採光側壁と、を含むバックライトアセンブリと、前記第１収納容器を介してで前記導光板の上面に設けられ、前記外部光及び前記人工光を情報が含まれたイメージ光に変更させる液晶表示パネルアセンブリと、前記液晶表示パネルアセンブリを固定するために、第２収納容器の側壁及び前記採光側壁に結合され、前記液晶表示パネルアセンブリの有効ディスプレー領域が開口されるように開口部を有し前記採光側壁に対向する部位に外部光導入窓が形成されたシャーシとを含む。
【００１９】
本発明は、外部で生成された外部光及び内部で電気エネルギーを消費して生成された人工光を複合的に利用してディスプレーを実施して低消費電力により高輝度ディスプレーを可能にする。
【００２０】
【発明の実施の形態】
以下、図面を参照して本発明の望ましい実施形態をより詳細に説明する。
【００２１】
〈実施形態１〉
図１は本発明の第１実施形態によるバックライトアセンブリを示した分解斜視図である。図２は図１に示した導光板のＩＩ−ＩＩ断面図である。図３は図１の第１収納容器のＩＩＩ−ＩＩＩ断面図である。
【００２２】
図１乃至図３に示すように、バックライトアセンブリ９００は、光を発生させるランプ３４０（図３）、光をガイドするための導光板１００、導光板１００を収納し、人工光を発生させるランプ３４０が収納される空間を提供する第１収納容器３００、第１収納容器３００を収納し、導光板１００に外部光がガイドされるようにする第２収納容器４００を含む。
【００２３】
本発明の実施形態で、導光板１００は直六面体プレート形状を有する。導光板１００は四つの側面、光射出面及び光反射面により構成される。
【００２４】
以下、四つの側面に符号１１０、１２０、１３０、１４０を付与する。付与された符号のうちの１１０を第１側面と称し、符号１２０を第２側面と称し、符号１３０を第３側面及び符号１４０を第４側面と称する。図２に示した符号１５０は導光板１００の光反射面であり、符号１６０は導光板１００の光射出面である。
【００２５】
図１及び図２に示すように、本発明の望ましい実施形態で第１側面１１０と第２側面１２０は相互に向き合う関係を有し、第１側面１１０と第２側面１２０は第３側面１３０及び第４側面１４０により相互に連結される。
【００２６】
第１側面１１０には外部から生成された光である“外部光”が入射され、第２側面１２０には電気エネルギーを消費して生成された光である“人工光”が各々相異する経路で入射される。
【００２７】
即ち、第１側面１１０を通じて供給された外部光及び第２側面１２０を通じて供給された人工光は光反射面１５０で反射された後、光射出面１６０に向かう。
【００２８】
一方、図１に示したように、導光板１００の第３側面１３０の一部は突出され、第１導光板キャッチング突起１３５が形成され、第４側面１４０の一部は突出され第２導光板キャッチング突起１４５が形成される。本実施形態で第１、第２導光板キャッチング突起１３５、１４５は一対が相互に離隔されるように形成される。この第１、第２導光板キャッチング突起１３５、１４５は詳細に後述される第１収納容器３００と結合される。
【００２９】
このような、機能及び構造を有する導光板１００の第１側面１１０へ外部光を供給し、第２側面１２０へ人工光を供給し、また導光板１００を指定された位置に固定するために、本発明では望ましい一実施形態として第１収納容器３００が使用される。
【００３０】
図１に示すように、第１収納容器３００は導光板１００の第１側面１１０と向き合う所が開口され、第２側面１２０、第３側面１３０及び第４側面１４０を取囲む形状を有する第１収納容器側壁３５０を含み、第１導光板キャッチング突起１３５に対応する第１収納溝３５２ｂ、第２導光板キャッチング突起１４５に対応する第２収納溝３５６ｂを含む。
【００３１】
より具体的に、第１収納容器側壁３５０は第３側面１３０を取り囲む第１側壁３５２、第２側面１２０を取り囲む第２側壁３５４、第４側面１４０を取り囲む第３側壁３５６を含む。第１、第３側壁３５２、３５６には第１、第２端ジョー３５２ｃ、３５６ｃが形成される。第１、第２端ジョー３５２ｃ、３５６ｃには第１、第２収納溝３５２ｂ、３５６ｂが形成される。
【００３２】
第１収納容器３００は液晶表示パネルが動くことを防止するために第１、第３側壁３５２、３５６を連結する連結バー３５８をさらに含む。連結バー３５８は第１、第２端ジョー３５２ｃ、３５６ｃ上に配置され、従って、連結バー３５８は第１側面１１０を通じて外部光が導光板に入射されることを妨害しない。また、連結バーは、液晶表示パネルの位置が変動することを防止する役割も共に発揮する。
【００３３】
図３に示すように、第１収納容器側壁３５０のうち、第２側面１２０を取囲む第２側壁３５４にはランプ３４０が収納される。この時、ランプ３４０は点光源である発光ダイオード又は線光源である冷陰極線管方式ランプうちのいずれか一つが使用されることができる。導光板１００の第２側面１２０に対向する第２側壁３５４にはランプ３４０を収納するために、ランプ収納溝３５４ａが形成されている。
【００３４】
このような構成を有する第１収納容器３００は、それ自体が第２収納容器４００に収納される。第２収納容器４００は導光板１００及びランプ３４０が収納された第１収納容器３００を固定すると共にできるだけ多くの外部光が導光板１００に入射することができるようにする役割を有する。
【００３５】
図１に示すように、第２収納容器４００は厚さが薄い金属材質からなり、基底面４５０及び、第１乃至第３側壁３５２、３５４、３５６と対向する第４、第５、第６側壁４２０、４３０、４４０及び採光側壁４１０により構成される。
【００３６】
より詳細には、基底面４５０は四つの第１乃至第４エッジ４５２、４５４、４５６、４５８を有する四角プレート形状を有し、導光板１００が収納された第１収納容器３００が定着されるに適合した平面積を有する。
【００３７】
基底面４５０のうちの導光板１００の第１側面１１０に隣接したエッジ４５２を除外したその他の三つの第２乃至第４エッジ４５４、４５６、４５８からは第４、第５、第６側壁４２０、４３０、４４０が第１収納容器側壁３５０と平行に第１収納容器側壁３５０の高さ程度まで延びる。
【００３８】
これにより、第２収納容器４００の第４、第５、第６側壁４２０、４３０、４４０は第１収納容器３００の第１乃至第３側壁３５２、３５４、３５６を取り囲む形状を有する。
【００３９】
この時、第２収納容器４００のうちの導光板１００の第１側面１１０と向き合う部分に第２収納容器側壁を他の側壁と同じようには形成しないことは、外部光が導光板１００の第１側面１１０に供給されることができるようにするためである。
【００４０】
一方、第２収納容器４００の基底面４５０に形成された四つのエッジ４５２、４５４、４５６、４５８のうちの第２収納容器４００の第４、第５、第６側壁４２０、４３０、４４０が形成されない部分である第１エッジ４５２からは導光板１００の第１側面１１０と向き合い、第１側面１１０に対して傾斜した採光側壁４１０が形成される。
【００４１】
図４は図１に示した第２収納容器をＶ−Ｖ断面に沿って切断した断面図である。
【００４２】
図４に示すように、採光側壁４１０と導光板１００の第１側面１１０の間の角度は相当に重要である。例えば、採光側壁４１０及び第１側面１１０の間の角度αは０°より大きく９０°より小さいように設定される。
【００４３】
この時、採光側壁４１０と第１側面１１０の間の角度αが０°に近くなるほど第２収納容器４００の体積は減少され、これによりバックライトアセンブリ９００の全体面積も減少されるという長所を有する。
【００４４】
しかし、採光側壁４１０と第１側面１１０の間の角度αが０°に近くなるほど採光側壁４１０から導光板１００の第１側面１１０に加えられる光量は必然的に減少される。
【００４５】
一方、図４に示したように採光側壁４１０と第１側面１１０の間の角度αが９０°に近くなるほど第２収納容器４００の体積が増加され、バックライトアセンブリ９００の全体面積も共に増加されるという問題点を有する。
【００４６】
しかし、採光側壁４１０と第１側面１１０の間の角度が９０°に近くなるほど採光側壁４１０から導光板１００の第１側面１１０に加えられる光量は増加する。
【００４７】
このような理由で、採光側壁４１０と第１側面１１０とからなる角αはバックライトアセンブリ９００の全体的平面積は最小化させ、かつ外部光の流入量を最大化するに適合した角度を有するようにしなければならない。本発明の一実施形態として採光側壁４１０と導光板１００の第１側面１１０からなる角αを４５°に設定した。
【００４８】
このように、採光側壁４１０が第１側面１１０に対して角αを有する場合、外力が採光側壁４１０に加えられた場合、採光側壁４１０の変形が発生し得るので、これを防止するために、前述した第１収納容器３００の第１収納容器側壁３５０の第１端部３５２ａ及び第２端部３５６ａは採光側壁４１０に密着される構造を有するようにすることが望ましい。これを具現するために、第１端部３５２ａ及び第２端部３５６ａは採光側壁４１０の傾斜に対して平行である傾斜縁を有する。
【００４９】
例えば、図４に示した座標系の０°を基準にして採光側壁４１０が１４５°傾斜している場合、第１端部３５２ａ及び第２端部３５６ａは０°に対して３１５°の傾きを有する。
【００５０】
一方、採光側壁４１０には外部光がより効率的に導光板１００の第１側面１１０に入射されるように外部光反射部材４１５がさらに設けられる。この外部光反射部材４１５は第１側面１１０と向き合う採光側壁４１０の内側面に付着され、一実施形態として光反射率が高い光反射シートである。
【００５１】
このような導光板１００、ランプ３４０を有する第１収納容器３００及び第２収納容器４００により構成されたバックライトアセンブリ９００は外部光及び人工光を共に液晶表示パネルに供給してディスプレーを実施することができる。
【００５２】
〈実施形態２〉
図５は本発明の第２実施形態によるバックライトアセンブリを示した分解斜視図である。
【００５３】
本実施形態で、より良質のディスプレーを実施するためにバックライトアセンブリ９００は導光板１００の上面に光学シート類２００及び反射板５００がさらに使用されることができる。
【００５４】
この光学シート類２００は一実施形態として拡散シート２４０及びプリズムシート２５０により構成される。拡散シート２４０は導光板１００の光射出面１６０に隣接して設けられ、光射出面１６０から射出された光がより均一の輝度を有するようにする。プリズムシート２５０は拡散シート２４０の上部に配置され拡散シート２４０を通過した光の方向性を補正しまた視野角を調節する役割を有する。
【００５５】
一方、反射板５００は導光板１００の光反射面１５０（図２参照）に隣接して設けられ、光反射面１５０から漏洩した光を反射させ、再び導光板１００に入射されるようにする役割を有する。
【００５６】
このような、拡散シート２４０、プリズムシート２５０及び反射板５００は全て前述した第１収納容器３００に形成された第１、第２収納溝３５２ｂ、３５６ｂに導光板１００と共に収納される。
【００５７】
これのために、拡散シート２４０及びプリズムシート２５０からなった光学シート類２００のうち、第１、第２収納溝３５２ｂ、３５６ｂの位置に対応する位置には、第３、第４キャッチング突起２４２、２５２が形成され、反射板５００のうちの第１、第２収納溝３５２ｂ、３５６ｂの位置に対応する位置には第５キャッチング突起５１２が形成される。
【００５８】
このような構成を有する本発明の一実施形態によるバックライトアセンブリ９００は、外部から第２収納容器４００の採光側壁４１０及び導光板１００の第１側面１１０を通じて外部光の供給を受けて光反射面１５０に向ける。また、バックライトアセンブリ９００は第１収納容器３００に設けられたランプ３４０から発生した人工光を導光板１００の第２側面１２０を通じて入射され、光反射面１５０で反射させて光射出面１６０に射出することができる。
【００５９】
〈第３実施形態〉
一方、他の実施形態として、図６又は図７には図１に示した導光板１００の形状を変更して、さらに優れた採光特性を有するバックライトアセンブリを示している。
【００６０】
図６は本発明の第３実施形態による導光板の斜視図である。図７は図６のＶＩＩ−ＶＩＩに沿って切断した断面図である。
【００６１】
図６又は図７に示したように、導光板１５０の第１側面１５２には外部光採光本体１６０がさらに設けられる。
【００６２】
外部光採光本体１６０は第１光反射面１６２、第２光反射面１６４及び採光面１６５により構成される。
【００６３】
第１光反射面１６２は前述した導光板１５０の光射出面１５４と第１側面１５２とが交差する点１５２ａから第１側面１５２と平行であるように光射出面１５４の上方に延びる。第２光反射面１６４は導光板１５０の光反射面１５３と第１側面１５２とが交差する点１５３ａから前述した採光側壁４１０と平行な傾斜角度を有するように延びる。採光面１６５は第１光反射面１６２及び第２光反射面１６４を連結し、外部光が流入されるようにする役割を有する。
【００６４】
この時、第１光反射面１６２及び第２光反射面１６４は相当に重要である。この第１光反射面１６２は外部光のうちの第２光反射面１６４に向かわない方向を有する外部光を第２光反射面１６４に反射させ、導光板１５０の第１側面１５２に入射されるようにして、多くの外部光が導光板１５０に入射されるようにする。
【００６５】
一方、このような構成を有する外部光採光本体１６０のうちの第１光反射面１６２には、第１光反射面１６２で反射されずに、漏洩される外部光を最少化するために、第１光反射シート１６２ａをさらに設けることが望ましい。
【００６６】
また、外部光採光本体１６０のうち、第２光反射面１６４には第２光反射面１６４で反射されずに、漏洩される外部光を最少化するために、第２光反射シート１６３ａをさらに設けることが望ましい。
【００６７】
〈実施形態４〉
図８は本発明の第４実施形態によるバックライトアセンブリの分解斜視図である。
【００６８】
図８に示すように、バックライトアセンブリ９００の第２収納容器４００の採光側壁４１０の内側及び基底面４５０には、全面にわたって一つの光反射シート４８０が設けられる。このように、採光側壁４１０及び基底面４５０にわたって光反射シート４８０を設ける場合、前述したバックライトアセンブリ９００を組立てるに必要である組立工程数を顕著に減少させることができる。また、別途に反射板を使用せずに、組立部品数を減少させることができ、バックライトアセンブリ９００の全体的厚さも減少させることができるという多様な長所を有する。
【００６９】
〈実施形態５〉
以下、このような構成を有するバックライトアセンブリを利用した液晶表示装置の実施形態を図９乃至図１１を参照してより具体的に説明する。
【００７０】
図９は本発明の第５実施形態による液晶表示装置の分解斜視図である。図１０は図９の液晶表示パネルを示した断面図である。
【００７１】
図９に示すように、液晶表示装置１０００は、前述したバックライトアセンブリ９００、バックライトアセンブリ９００に収納された液晶表示パネルアセンブリ９５０及びバックライトアセンブリ９００と液晶表示パネルアセンブリ９５０を結合させるシャーシ９６０及び下部ケース９７０により構成される。
【００７２】
ここで、液晶表示パネルアセンブリ９５０は反射型液晶表示パネルアセンブリ、透過型液晶表示パネルアセンブリ及び反射−透過型液晶表示パネルアセンブリを全て使用することができる。本発明では望ましい一実施形態として透過型液晶表示パネルアセンブリを説明する。
【００７３】
図１０に示すように、透過型液晶表示パネルアセンブリ９５０は、ＴＦＴ基板９５１、液晶９５２及びカラーフィルタ基板９５３により構成される。
【００７４】
ＴＦＴ基板９５１は透明な基板、例えば、ガラス基板上に複数個がマトリックス状に配列された薄膜トランジスター９５１ａ、薄膜トランジスター９５１ａから電力の供給を受ける画素電極９５１ｂ及び第１配向膜９５１ｃにより構成される。
【００７５】
カラーフィルタ基板９５３はＴＦＴ基板９５１と向き合うように設けられ、透明な基板、例えば、ガラス基板上に画素電極９５１ｂと向き合うように形成されたカラーフィルタ９５３ａ、カラーフィルタ９５３ａが覆われるようにガラス基板の全面積にわたって形成された共通電極９５３ｂ及び第２配向膜９５３ｃにより構成される。
【００７６】
このような構成を有するＴＦＴ基板９５１とカラーフィルタ基板９５３はスペーサ（図示せず）及びシール手段（図示せず）などによりセルギャップが維持された状態で、間に液晶９５２が注入される。
【００７７】
このような構成を有する液晶表示パネルアセンブリ９５０は図９に示したように、前述したバックライトアセンブリ９００の第１収納容器３００の収納溝３５２ｂ、３５６ｂ内に反射板５００、導光板１００、光学シート類２００のキャッチング突起が固定された状態で第１収納容器３００の第１、第２端ジョー３５２ｃ、３５６ｃの上面に収納される。
【００７８】
第１収納容器３００に収納された液晶表示パネルアセンブリ９５０は第１収納容器３００により左右方向については十分に固定が可能であるが、上下方向へは固定されない状態であるために、液晶表示パネルアセンブリ９５０は図９に示したシャーシ９６０により上下方向の動きが制限されるようになっている。
【００７９】
より具体的は、シャーシ９６０は液晶表示パネルアセンブリ９５０の上下方向の動きを制限、特に割れやすい液晶表示パネルアセンブリ９５０の角部分を保護及び静電気を除去するための目的などに使用される。本発明では一実施形態として、シャーシ９６０はその外部からの光を導光板１００に導入されるようにする役割も有する。
【００８０】
このように、多様な目的に使用されるシャーシ９６０は、液晶表示パネルアセンブリ９５０の有効ディスプレー面積が覆われないように開口した四角フレーム形状を有する第１面９６１、第１面９６１の外側エッジから折れるように延びた第２面９６２を有する。
【００８１】
ここで、第２面９６２は第２収納容器４００の第４、第５、第６側壁４２０、４３０、４４０の外側に結合される。この時、第２収納容器４００の第４、第５、第６側壁４２０、４３０、４４０とシャーシ９６０の第２面９６２はフック結合などの方法により結合される。
【００８２】
図１１に示すように、第１面９６１には前述したバックライトアセンブリ９００の第２収納容器４００の採光側壁４１０に外部光が導入されるように開口された外部光導入窓９６１ａが形成される。
【００８３】
この外部光導入窓９６１ａは、外部光が採光側壁４１０及び導光板１００の第１側面１１０に導入されるようにする役割を有する。
【００８４】
しかし、このような外部光導入窓９６１ａは外部から異物が液晶表示装置内部に浸入する可能性のある通路的役割も有することになる。本発明では、このような問題点を解決するために外部光導入窓９６１ａに光透過率が優れている異物浸入防止シート９６３を付着する方法が使用される。このように、外部光導入窓９６１ａを使用する方法は、図１又は図８で説明された実施形態に特に適合する。
【００８５】
図１２乃至図１４は本発明の第６実施形態による液晶表示装置の概念図である。
【００８６】
〈実施形態６〉
図１２に示した実施形態では外部光採光本体１６０の形状を変更して異物が液晶表示装置の内部へ浸入することを防止することができるようにしている。これを具現するために、図１２乃至図１４に示したように、外部光採光本体１６０の採光面１６５のうちの一部分を突出させ形成された密封突起１６６を外部光導入窓９６１ａに嵌合させ、外部異物が液晶表示装置１０００内部に浸入することを防止する。
【００８７】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００８８】
【発明の効果】
本発明によると、外部光及び内部で発生した人工光の両者を液晶表示パネルアセンブリに供給して液晶表示装置での輝度をさらに向上させることができ、この過程で組立工程数及び組立部品を節減するなど多様な効果を有する。
【００８９】
本発明では、望ましい実施形態によりバックライトアセンブリから人工光及び外部光の供給を受ける液晶表示パネルアセンブリを透過型液晶表示パネルアセンブリについて説明したが、これ以外に反射−透過型液晶表示パネルアセンブリ等を使用してもよい。
【００９０】
この点につき、反射型液晶表示装置の場合、外部光及び内部光が導入される導光板を反射型液晶表示パネルアセンブリの上部に位置させることにより、本発明が具現しようとする目的及び効果を十分に発生させることができる。
【図面の簡単な説明】
【図１】本発明の第１実施形態によるバックライトアセンブリの分解斜視図である。
【図２】図１のＩＩ−ＩＩ断面図である。
【図３】図１のＩＩＩ−ＩＩＩ断面図である。
【図４】図１のＩＶ−ＩＶ断面図である。
【図５】本発明の第２実施形態によるバックライトアセンブリの分解斜視図である。
【図６】本発明の第３実施形態による導光板の斜視図である。
【図７】本発明の第３実施形態によるバックライトアセンブリの構成要素である導光板の他の実施形態を示したＶＩＩ−ＶＩＩ断面図である。
【図８】本発明の第４実施形態によるバックライトアセンブリの分解斜視図である。
【図９】本発明の第５実施形態による液晶表示装置の分解斜視図である。
【図１０】本発明の第５実施形態による液晶表示パネルアセンブリの断面図である。
【図１１】図９を組立てた状態でＸＩ−ＸＩに沿って切断した断面図である。
【図１２】本発明の第６実施形態による液晶表示装置の分解斜視図である。
【図１３】図１２のＡ拡大図である。
【図１４】図１２を組立てた状態で切断した断面図である。
【符号の説明】
１００、１５０　　導光板
１１０、１５２　　第１側面
１２０　　第２側面
１３０、１４０　　第３側面
１５０　　光反射面
１６０　　外部光採光本体
３００　　第１収納容器
３４０　　ランプ
４００　　第２収納容器
４１０　　採光側壁
４５０　　基底面
５００　　反射板
９００　　バックライトアセンブリ
９５０　　液晶表示パネルアセンブリ
９５１　　ＴＦＴ基板
９５３　　カラーフィルタ基板
【図１】
2004004766.tif 000003
【図２】
2004004766.tif 000004
【図３】
2004004766.tif 000005
【図４】
2004004766.tif 000006
【図５】
2004004766.tif 000007
【図６】
2004004766.tif 000008
【図７】
2004004766.tif 000009
【図８】
2004004766.tif 000010
【図９】
2004004766.tif 000011
【図１０】
2004004766.tif 000012
【図１１】
2004004766.tif 000013
【図１２】
2004004766.tif 000014
【図１３】
2004004766.tif 000015
【図１４】
2004004766.tif 000016